(57)【要約】  【課題】看者に訴求しやすいマットレス展示台を提供すること。  【解決手段】前方部の下部に凹所３１が画成された本体部３０と、前記凹所３１に配設され、前記本体部３０上に展示のために載置されるマットレス１０に関する情報をバックライトで表示する電飾装置８０とを備える、マットレス展示台を構成した。【選択図】  図１
2008022902.tif 000002
【特許請求の範囲】
【請求項１】
前方部の下部に凹所が画成された本体部と、前記凹所に配設され、前記本体部上に展示のために載置されるマットレスに関する情報をバックライトで表示する電飾装置とを備える、マットレス展示台。
【請求項２】
前記凹部は、前記本体部の前方張り出し部と前記本体部が設置される床面との間に画成される、請求項１記載のマットレス展示台。
【請求項３】
前記電飾装置は、前方に位置して、前記情報が表示された光透過部材と、光源を担持する背板とを有する、請求項１記載のマットレス展示台。
【請求項４】
前記光透過部材の表面に光遮断部材を設けた、請求項３記載のマットレス展示台。
【請求項５】
前記光透過部材の表面は、前記光遮断部材の一方側及び他方側に、前記情報の一部及び残部が配置される、請求項３記載のマットレス展示台。
【請求項６】
前記情報の一部と前記情報の残部とは、相互に独立した意味を持つ、請求項５記載のマットレス展示台。
【請求項７】
前記情報の一部及び前記情報の残部は、夫々、ロゴ及びペットネームである、請求項６記載のマットレス展示台。
【請求項８】
前記光透過部材は、乳半アクリル樹脂板である、請求項４記載のマットレス展示台。
【請求項９】
前記凹部は、前記本体部の前方張り出し部と前記本体部が設置される床面との間に画成される、請求項１記載のマットレス展示台。
【発明の詳細な説明】
【技術分野】
【０００１】
本発明は、マットレス展示台に関する。
【背景技術】
【０００２】
販売あるいは販売促進のために供されるマットレスに関しては、例えば、特許文献１に示されるように、当該マットレスに関連情報が表示された情報表示体が隣接して配置される。
【特許文献１】特開２００５−３４２２３０号公報
【発明の開示】
【発明が解決しようとする課題】
【０００３】
特許文献１に開示された装置においては、確かに、マトレスに関連する情報は直ぐに知ることができるが、マットレスは、ベッドと共に販売（若しくは販売促進のための展示）に供されることが多く、その場所は、寝室のムードを作出するために、薄暗い照明とされるので、表示体の情報が見づらく、看者への訴求が充分とは言えない。
【０００４】
それ故に、本発明は、訴求力のあるマットレス展示台を提供することを、その技術的課題とする。
【課題を解決するための手段】
【０００５】
上記の課題を解決するために講じた技術的手段は、請求項１に記載のように、
「前方部の下部に凹所が画成された本体部と、前記凹所に配設され、前記本体部上に展示のために載置されるマットレスに関する情報をバックライトで表示する電飾装置とを備える、マットレス展示台」
を構成したことである。
【発明の効果】
【０００６】
本発明によれば、前方部の下部に凹所が画成された本体部と、前記凹所に配設され、前記本体部上に展示のために載置されるマットレスに関する情報をバックライトで表示する電飾装置とを備える、マットレス展示台が構成されるので、バックライトで浮かび出たマットレス情報が看者をして容易に且つ印象的に理解せしめることが出来る
【発明を実施するための最良の形態】
【０００７】
以下、本発明のマットレス展示台を具体化した一実施の形態を、図面を参照して詳細に説明する。
【０００８】
図１及び図２において、マットレス１０を顧客に展示するマットレス展示台２０は、マットレス１０を載置する本体部３０を備える。しかして、本体部３０の前方の下部には凹部３１が画成されており、この凹部３１の内部には、すっぽり納まるように、電飾装置８０が挿脱自在に収容されている。
【０００９】
本体部３０は、アルミニュームで作製されたＵ字型フレーム４０を備える。フレーム４０の中央部が前方に位置し、双方の側部４０Ｒ・４０Ｌが、後方に延在する。側部４０Ｒ（４０Ｌ）の前方側及び後方側には、脚４１ＲＦ・４１ＲＲ（脚４１ＬＦ・４１ＬＲ）が設けられて、この脚４１ＲＦ・４１ＲＲ・４１ＬＦ・４１ＬＲを介して、フレーム４０を基体とする本体部３０が床に面上に設置される。このとき、フレーム４０の中央部４０Ｃは、脚４１ＲＦと脚４１ＬＦに関しては、前方に張り出した状態になり、この張り出した状態のフレーム４０の中央部４０Ｃと床面との間に、凹部３１が画成されることになる。
【００１０】
側部４０Ｒの後端部と側部４０Ｌの後端部とは、背板４２が連結される。背板４２としては、黒色のポリエステル合板４２が採用される。また、側部４０Ｒの下側と床面との間の空間及び側部４０Ｌの下側と床面との間の空間を閉塞するため、黒色のアクリル板で作製された右側板４３Ｒ及び左側板４３Ｌが配設される。右側板４３Ｒ及び左側板４３Ｌは、背板４２と同様に、黒色のポリエステル合板が採用される。
【００１１】
左側板４３Ｌの内面の前方側及び後方側にはブラケット４５ＬＦ及びブラケット４５ＬＲが連結されて、縦溝４６ＬＦ及び縦溝４６ＬＲが形成される。右側板４３Ｒの内面の前方側及び後方側にも、同じように、縦溝４６ＲＦ及び縦溝４６ＬＦ（何れも図示略）が形成される。しかして、パイプ４８Ｆの左側端部及び右側端部に固定された左フック４７ＬＦ及び右フック４７ＲＦが、夫々、左側板４３Ｌの前方の縦溝及び右側板４３Ｒの縦溝に挿入される。また、パイプ４８Ｒの左側端部及び右側端部に固定された左フック４７ＬＲ及び右フック４７ＲＲが、夫々、左側板４３Ｌの後方の縦溝及び右側板４３Ｒの後方の縦溝に挿入される。かくして、左側板４３Ｌ及び右側板４３Ｒは、分解可能に、堅牢に連結される。
【００１２】
電飾体８０は、前方に位置して平面が浅いＵ型をなす光透過部材８１と、光源８４を担持する背板８３とを有する。光透過部材８１の両端部が背板８３の両端部に連結され、て、上方及び下方が開放された矩形の筐体を構成する。しかして、この筐体の上面は、天板８５により閉塞される。尚、光透過部材８１は、乳半アクリル樹脂板から作製されるが、これに限定されるものではない。
【００１３】
また、光透過部材８１の表面（前面）には、黒色のアクリル板で作製された光遮断部材８２が貼付されており、この光遮断部材８２は、光透過部材８１の表面（前面）を左右に分割する。しかして、光透過部材８１の表面（前面）の右側及び左側には、図示しないが、相互に独立した意味を持つペットネーム及びロゴが印刷表示されている。しかして、マットレス１０を載置したマットレス展示台２０を、薄暗い照明の下に置いた場合、点灯した光源８４からの光が光透過部材８１を通過するとき、ペットネーム及びロゴが浮かび出て、看者をして、マットレス１０の提供者及びペットネームをエキゾチックなムードで認識せしめることが出来、販売促進に裨益できること必定である。
【００１４】
尚、図３に示されるように、光透過部材８１の全面を、図示されないペットネーム及びロゴの表示に用いても良い。この場合、ペットネーム及びロゴは、一列に配列されるか、２段に配列されることになる。
【図面の簡単な説明】
【００１５】
【図１】本発明の一実施の形態に係り、マットレスが載置された時のマットレス展示台の斜視図である。
【図２】図１に示すマットレス展示台の単体の分解斜視図である。
【図３】本発明の他の実施の形態に係り、マットレスが載置された時のマットレス展示台の斜視図である。
【符号の説明】
【００１６】
１０：マットレス
２０：マットレス展示台
３０：本体部
３１：凹部
８０：電飾装置
【図１】
2008022902.tif 000003
【図２】
2008022902.tif 000004
【図３】
2008022902.tif 000005